(57)【要約】【課題】  使用者が見たい情報を簡単な操作で同時により多く表示できるようにする。【解決手段】  本体１に設けた第３表示部１１の側部に開閉パネル４を回動可能に取り付け、この開閉パネル４の表面に第１表示部を設け、裏面に第２表示部１０を設けた構成であり、通常は、開閉パネル４を閉じて第１表示部に情報を表示させ、より多くの表示を行いたい場合には、開閉パネル４を開いて第２表示部１０および第３表示部１１に情報を表示させる。【選択図】図３
2004227592.tif 000002
【特許請求の範囲】
【請求項１】
情報を入力する入力手段と、各種情報を画面表示する複数の表示手段と、機器本体に開閉可能に設けた開閉手段とを備え、前記開閉手段に複数の表示手段の中の少なくとも１つを設けたことを特徴とする携帯型電子機器。
【請求項２】
前記開閉手段を閉じたときに、機器本体における前記開閉手段に対向する部位に表示手段を設け、前記開閉手段を開いたときに前記表示手段が外部から視認可能に構成したことを特徴とする請求項１記載の携帯型電子機器。
【請求項３】
前記開閉手段の表示手段を、前記開閉手段を閉じたときにおいて機器本体と対向する面に設けたことを特徴とする請求項１または２記載の携帯型電子機器。
【請求項４】
前記開閉手段の両面に表示手段を設けたことを特徴とする請求項１または２記載の携帯型電子機器。
【請求項５】
前記開閉手段を閉じたときにおいて互いに対向する前記開閉手段および機器本体の面に表示手段を設け、前記開閉手段を開いた際に前記開閉手段の表示手段および前記機器本体の表示手段が隣り合うことを特徴とする請求項１または２記載の携帯型電子機器。
【請求項６】
前記開閉手段を開いた際に前記開閉手段の表示手段に電子メールの主題の一覧を表示し、機器本体の表示手段に前記一覧から選択された主題に対応する本文を表示することを特徴とする請求項５記載の携帯型電子機器。
【請求項７】
前記表示手段をポリマーフィルム液晶表示装置で構成したことを特徴とする請求項１〜６のいずれか１項記載の携帯型電子機器。
【請求項８】
複数の前記表示手段の中から、所定の表示手段にのみ電源をオンにすることを特徴とする請求項１〜７のいずれか１項記載の携帯型電子機器。
【請求項９】
前記開閉手段を開く方向に付勢する付勢手段を設けたことを特徴とする請求項１〜８のいずれか１項記載の携帯型電子機器。
【請求項１０】
前記開閉手段を閉じたときに機器本体と係合する係合手段と、この係合手段による係合状態を解除する解除手段を設け、この解除手段を操作した際に、前記付勢手段の付勢によって前記開閉手段が開くことを特徴とする請求項９記載の携帯型電子機器。
【発明の詳細な説明】
【技術分野】
【０００１】
本発明は、通話用あるいは文字情報表示用の携帯型電話機や電子手帳等の携帯型電子機器に関する。
【背景技術】
【０００２】
近年、携帯電話のような携帯型電子機器は、その携帯性とともにデータ通信機能が多く利用されている。特に、無線通信を利用した、文字，画像情報の通信が多様化し、通信インフラの普及，整備も手伝って、より多くの情報が電子機器同士でやり取りされるようになっている。
【０００３】
ところで、携帯型電話装置のような携帯性に優れた電子機器は、優れた携帯性の反面、携帯型パソコンのように情報を表示するのに十分な大きさの表示装置を実装することが困難になっている。既存の携帯型電子機器は、単一の表示装置を搭載して各種の情報を表示するのが一般的であり、多くの情報を表示するために使用者の入力操作によって、例えば、画面のスクロール，機能の切り替えが行われている。つまり、単一の表示装置を備えた携帯型電話装置による電子メールや各種情報サービスの受信などでは、受信した文書の題目や見出しを確認したり内容を閲覧するために、使用者の操作によってその都度表示画面を切り替える操作が行われていた。
【特許文献１】特開平１０−１９８２９１号公報
【特許文献２】特開平１０−３４１２９０号公報
【発明の開示】
【発明が解決しようとする課題】
【０００４】
しかしながら、従来においては、目的の情報を得るまでに表示画面を切り替える操作を何度も行う必要がある。また、情報を表示するのに十分なエリアを持った表示装置を搭載する機器は、本体が大型化し、携帯性が損なわれるおそれがある。
【０００５】
本発明は、このような問題点を解決し、使用者が見たい情報を簡単な操作で同時により多く表示できるようにした携帯型電子機器を提供することを目的とする。
【課題を解決するための手段】
【０００６】
前記目的を達成するための本発明は、情報を入力する入力手段と、各種情報を画面表示する複数の表示手段と、機器本体に開閉可能に設けた開閉手段とを備え、前記開閉手段に複数の表示手段の中の少なくとも１つを設けたことを特徴とする。このような構成により、多くの情報を表示したい場合には開閉手段の開閉によって表示手段を開くことによって、複数の表示手段に情報を表示させ、不必要な場合には閉じた状態で使用することによって用途に応じた使い方ができる。
【０００７】
また本発明は、前記開閉手段を閉じたときに、機器本体における前記開閉手段に対向する部位に表示手段を設け、前記開閉手段を開いたときに前記表示手段が外部から視認可能に構成したことを特徴とする。このような構成により、単一の表示装置を搭載した電子機器のような表示切り替えのためのキー操作が不要になって本やノートのページをめくる感覚で多くの情報を見ることができる。
【０００８】
また本発明は、前記開閉手段の表示手段を、前記開閉手段を閉じたときにおいて機器本体と対向する面に設けたことを特徴とする。このような構成により、単一の表示装置を搭載した電子機器のような表示切り替えのためのキー操作が不要になって本やノートのページをめくる感覚で多くの情報を見ることができる。
【０００９】
また本発明は、前記開閉手段の両面に表示手段を設けたことを特徴とする。このような構成により、開閉手段の薄型化、部品構成の簡素化、制御方法の簡素化が可能になる。
【００１０】
また本発明は、前記開閉手段を閉じたときにおいて互いに対向する前記開閉手段および機器本体の面に表示手段を設け、前記開閉手段を開いた際に前記開閉手段の表示手段および前記機器本体の表示手段が隣り合うことを特徴とする。このような構成により、本やノートを見る感覚で表示手段を見ることができる。
【００１１】
また本発明は、前記開閉手段を開いた際に前記開閉手段の表示手段に電子メールの主題の一覧を表示し、機器本体の表示手段に前記一覧から選択された主題に対応する本文を表示することを特徴とする。このような構成により、所望の電子メールを読むために多くのキー操作を行う必要がなくなる。
【００１２】
また本発明は、前記表示手段をポリマーフィルム液晶表示装置で構成したことを特徴とする。このような構成により、開閉手段のさらなる薄型化が可能になる。
【００１３】
また本発明は、複数の前記表示手段の中から、所定の表示手段にのみ電源をオンにすることを特徴とする。このような構成により、使用しない表示手段の電源がオフになることにより、最低限必要な表示装置以外の電源をオフにするため、機器全体のエネルギー消費を低減することができる。
【００１４】
また本発明は、前記開閉手段を開く方向に付勢する付勢手段を設けたことを特徴とする。このような構成により、付勢手段の付勢力によって開閉手段を開くことが可能になる。
【００１５】
また本発明は、前記開閉手段を閉じたときに機器本体と係合する係合手段と、この係合手段による係合状態を解除する解除手段を設け、この解除手段を操作した際に、前記付勢手段の付勢によって前記開閉手段が開くことを特徴とする。このような構成により、解除手段の操作によって開閉手段を開くことが可能になる。
【発明の効果】
【００１６】
以上、説明したように構成した本発明によれば、開閉手段に表示手段を設けたことにより、多くの情報を表示したい場合には開閉手段の開閉によって表示手段を開くことによって、複数の表示手段に情報を表示させ、不必要な場合には閉じた状態で使用することによって用途に応じた使い方ができるため、利便性が向上する。
【００１７】
また、開閉手段を開いたときに、その裏面や収納部に別の表示装置が配置されているため、単一の表示装置を搭載した電子機器のような表示切り替えのためのキー操作が不要になって本やノートのページをめくる感覚で多くの情報を見ることができ、操作性が向上する。
【００１８】
また、表示手段を両面表示可能にしたことにより、開閉手段の薄型化、部品構成の簡素化、制御方法の簡素化が可能になる。
【００１９】
また、開閉手段を開いた際に、開閉手段の表示手段および機器本体の表示手段が隣り合うことにより、本やノートを見る感覚で表示手段を見ることができる。
【００２０】
また、開閉手段を開いた際に、開閉手段の表示手段に電子メールの主題の一覧を表示し、機器本体の表示手段に一覧から選択された主題に対応する本文を表示することにより、所望の電子メールを読むために多くのキー操作を行う必要がなくなる。
【００２１】
また、表示手段にポリマーフィルム液晶表示装置を用いることにより、開閉手段のさらなる薄型化が可能になる。
【００２２】
また、使用しない表示手段の電源がオフになることにより、最低限必要な表示装置以外の電源をオフにするため、機器全体のエネルギー消費を低減することができる。
【００２３】
また、解除手段を操作した際に、付勢手段の付勢によって開閉手段が開くように構成したことにより、解除手段の操作によって開閉手段を開くことが可能になる。
【発明を実施するための最良の形態】
【００２４】
以下、本発明の実施形態について、図面を参照しながら詳細に説明する。
【００２５】
（第１実施形態）
図１は本発明の第１実施形態における携帯型電話装置の外観構成を示す斜視図であり、１は本体、２はアンテナ、３はスピーカ、４は開閉パネル、５は開閉パネル４の表面に設けられた第１表示部、６はテンキー等を含む操作パネル、７はマイク、８は操作キーを示す。
【００２６】
本体１の上面にはアンテナ２が設けられており、本体１の上部にスピーカ３が設けられ、下部にマイク７が設けられている。スピーカ３の下部に開閉パネル４が一方の側部を軸として回動可能に設置されている。さらに開閉パネル４とマイク７との間に操作パネル６が配置されている。また、本体１の側部に操作キー８が設けられている。さらに、本体１の側部には、図２に示すように、オープンボタン９が設けられており、このオープンボタン９を押すことにより開閉パネル４を開くことができるようになる。
【００２７】
図３は図１の携帯型電話装置において開閉パネルを開いた状態を示す斜視図であり、１０は開閉パネル４の裏面に設けられた第２表示部、１１は本体１における開閉パネル４の対向部位に設けられた第３表示部、１２は開閉パネル４の裏側の側部に設けられたフック部、１３は開閉パネル４を閉じたときにフック部１２が収納される穴、１４は、第３表示部１１を有し、開閉パネル４を収納する収納部を示す。さらに、本体１内における穴１３の近傍にはフック部１２に係合する係合部材（図示せず）が設けられ、また、開閉パネル４の回動軸側には開閉パネル４を開く方向に付勢する回動用スプリング（図示せず）が設けられている。この係合部材はオープンボタン９に連動しており、オープンボタン９を押圧することによって図３に示すように開閉パネル４が開かれた状態になり、開閉パネル４を閉じたときには図１に示すように本体１に収納された状態になる。
【００２８】
図４は開閉パネルに設置した表示部の構成を示す断面図であり、２０は反射板、２１，２２は反射板２０の両面に配置された第１偏光板、２３，２４は第１偏光板２１，２２に設置された第１透明電極、２５，２６は第１透明電極２３，２４に設けた液晶層、２７，２８は第１透明電極２３，２４との間に液晶層２５，２６を挟むように配置された第２透明電極、２９，３０は第２透明電極２７，２８に設けた位相板、３１，３２は位相板２９，３０に設けた第２偏光板を示す。
【００２９】
すなわち、第１表示部５は、第１偏光板２１，第１透明電極２３，液晶層２５，第２透明電極２７，位相板２９，偏光板３１を積層した構成であり、第２表示部１０は、第１偏光板２２，第１透明電極２４，液晶層２６，第２透明電極２８，位相板３０，偏光板３２を積層した構成であり、第１表示部５および第２表示部１０を反射板２０の表裏に設けたことにより両面表示可能な液晶表示装置を構成して、開閉パネル４の表裏面において液晶表示を可能にしたものである。
【００３０】
開閉パネル４を閉じた状態においては、第１表示部５にのみ通電されており、第２，第３表示部１０，１１には開閉パネル４を開いた場合にのみ通電される。また、第２，第３表示部１０，１１に対する通電を禁止させる設定が使用者の操作パネル６の操作によって可能に構成されている。その結果、不意に開閉パネル４が開いた場合にも第２，第３表示部１０，１１は動作しないために、機器本体のエネルギー消費を低減することができる。
【００３１】
図５，図６は図１の携帯型電話装置の使用例を示す説明図である。開閉パネル４を閉じた状態においては、第１表示部５に、その携帯型電話装置を使用していないときの必要最低限の情報、例えば、電界強度、時刻、カレンダー、電子メールの着信の有無、その他使用者に通知する内容等が表示される。受信した電子メールを読む場合には、図６に示すように、開閉パネル４を開いて第２，第３表示部１０，１１が見えるようにする。このとき第２表示部１０には電子メールの主題の一覧を表示し、さらに第３表示部１１には第２表示部１０に表示した一覧から選択された主題に対応する本文が表示される。
【００３２】
このように構成したことにより、同時に多くの表示を行うことが可能になる。また、所望の電子メールを読むために多くのキー操作を行う必要がなくなり、ページをめくるような感覚で画面表示を見ることができる。
【００３３】
（第２実施形態）
図７，図８は本発明の第２実施形態における携帯型電話装置の外観を示す斜視図であり、１５は開つまみを示す。なお、図１または図３に示した第１実施形態における部材と同一の部材または同一機能の部材については同一の符号を付して詳細な説明は省略する。
【００３４】
第１実施形態における開閉パネル４においては本体１の側方に開閉させる構成であることに対して、第２実施形態の携帯型電話装置は、開閉パネル４の回動軸をスピーカ３側の側部に設け、スピーカ３側に回動するように構成したものである。
【００３５】
さらに、操作パネル６の上部に開つまみ１５が設けられており、開閉パネル４が閉じた状態においては、開閉パネル４の一部が開つまみ１５に係合して、図７に示すように、開閉パネル４が本体１に収納された状態になる。開閉パネル４を開く場合には、開つまみ１５を操作することによって、図８に示すように、開閉パネル４が開かれた状態になる。
【００３６】
このように構成したことにより、開閉パネル４を開いた状態で本体１を持ったときに開閉パネル４が手に当たるようなことが防止できる。
【００３７】
（第３実施形態）
図９，図１０は本発明の第３実施形態における携帯型電話装置の外観を示す斜視図であり、１６は本体１に設けられた表示部、１７は、本体１の下部に回動可能に設けられ、閉じたときに操作パネル６をカバーするフリップ部、１８はフリップ部１７における操作パネル６との対向面に設けられた第２表示部を示す。なお、図１または図３に示した第１実施形態における部材と同一の部材または同一機能の部材については同一の符号を付して詳細な説明は省略する。
【００３８】
第１実施形態における開閉パネル４においては本体１の第３表示部１１上を開閉するような構成であることに対して、第３実施形態の携帯型電話装置は、操作パネル６をカバーするフリップ部１７に第２表示部１８を設けて、操作パネル６を使用するためにフリップ部１７を開くと同時に第２表示部１８による表示を見ることができるように構成したものである。
【００３９】
このように構成したことにより、従来の携帯型電話装置の大きさを変えることなく画面表示の領域を拡大させることができる。
【００４０】
なお、本発明の携帯型電子機器は、上述した構成に限るものではない。例えば、開閉パネル４に装着する表示部をポリマーフィルム液晶表示装置で構成することにより、開閉パネル４の薄型化が可能となる。また、開閉パネル４の両面に片面表示の表示装置を取り付けても良く、さらに表示部を液晶表示装置以外の表示装置によって構成しても良い。
【産業上の利用可能性】
【００４１】
本発明は、携帯型電話機や電子手帳、さらにはＰＤＡ等の携帯型の電子機器の分野において利用可能である。
【図面の簡単な説明】
【００４２】
【図１】本発明の第１実施形態における携帯型電話装置の外観構成を示す斜視図
【図２】図１の携帯型電話装置のオープンボタン付近の構成を示す側面図
【図３】図１の携帯型電話装置において開閉パネルを開いた状態を示す斜視図
【図４】開閉パネルに設置した表示部の構成を示す断面図
【図５】図１の携帯型電話装置の使用例を示す説明図
【図６】図５の携帯型電話装置の開閉パネルを開いた状態を示す斜視図
【図７】本発明の第２実施形態における携帯型電話装置の外観を示す斜視図
【図８】図７の携帯型電話装置の開閉パネルを開いた状態を示す斜視図
【図９】本発明の第３実施形態における携帯型電話装置の外観を示す斜視図
【図１０】図９の携帯型電話装置の開閉パネルを開いた状態を示す斜視図
【符号の説明】
【００４３】
１  本体
２  アンテナ
３  スピーカ
４  開閉パネル
５  第１表示部
６  操作パネル
７  マイク
８  操作キー
９  オープンボタン
１０  第２表示部
１１  第３表示部
１２  フック部
１３  穴
１５  開つまみ
１６  表示部
１７  フリップ部
１８  第２表示部
２０  反射板
２１，２２  第１偏光板
２３，２４  第１透明電極
２５，２６  液晶層
２７，２８  第２透明電極
２９，３０  位相板
３１，３２  第２偏光板
【図１】
2004227592.tif 000003
【図２】
2004227592.tif 000004
【図３】
2004227592.tif 000005
【図４】
2004227592.tif 000006
【図５】
2004227592.tif 000007
【図６】
2004227592.tif 000008
【図７】
2004227592.tif 000009
【図８】
2004227592.tif 000010
【図９】
2004227592.tif 000011
【図１０】
2004227592.tif 000012